(57)【要約】【課題】関心のある被検体からの電気生理学的データ及び血行動態生理学的データを監視するための単一収集診断用監視システムを提供する。【解決手段】本システムは、関心のある被検体に結合された複数の第１のセンサ（１４）を介して電気生理学的データを受け取る第１のモジュール（１２）と、前記被検体に結合された複数の第２のセンサ（１８）を介して血行動態生理学的データを受け取る第２のモジュール（１６）と、前記の各モジュールに結合されていて、各モジュールに電力を供給し、各モジュールからデータを受け取り、且つ各モジュールからのデータを同期化する基部装置（２０）と、基部装置に結合されていて、基部装置から同期化された電気生理学的及び血行動態生理学的データを受け取り、該同期化されたデータを単一のデータベースに組み合わせ、且つ同期化され処理されたデータを伝送する処理装置とを含む。【選択図】図１
2007307365.tif 000002
【特許請求の範囲】
【請求項１】
関心のある被検体からの電気生理学的データ及び血行動態（７）生理学的データを監視するための単一収集診断用監視システム（１０）であって、
関心のある被検体に結合された複数の第１のセンサ（１４）を介して電気生理学的データを受け取るように構成されている第１のモジュール（１２）と、
前記被検体に結合された複数の第２のセンサ（１８）を介して血行動態（７）生理学的データを受け取るように構成されている第２のモジュール（１６）と、
各モジュール（１２，１６）に結合されていて、各モジュール（１２，１６）に電力を供給し、各モジュール（１２，１６）からデータを受け取り、且つ各モジュール（１２，１６）からのデータを一緒に同期化するように構成されている基部装置（２０）と、
前記基部装置（２０）に結合されていて、前記基部装置（２０）から同期化された電気生理学的及び血行動態生理学的データを受け取り、該同期化されたデータを単一のデータベースに組み合わせ、且つ更に使用するために前記同期化され処理されたデータを伝送するように構成されている処理装置と、
を有している単一収集診断用監視システム（１０）。
【請求項２】
前記基部装置（２０）及び前記処理装置に結合されていて、前記処理装置から受け取った所定のフィルタ（３２）を処理済みのデータに適用するように構成されているアナログ出力回路（２２）を含んでいる請求項１記載のシステム。
【請求項３】
前記処理装置は、前記処理装置に対して利用可能であるような、低域通過フィルタと、高域通過フィルタと、低域通過及び高域通過の組合せフィルタとよりなる群（３４）から所定のフィルタ（３２）を作成するように構成されている、請求項２記載のシステム。
【請求項４】
前記モジュール（１２，１６）、基部装置（２０）及び処理装置の各々がクロック（４０）を含み、これらの全てのクロック（４０）が通信プロトコルにより同期化されている、請求項１記載のシステム。
【請求項５】
前記処理装置及び基部装置（２０）は有線ケーブル及び無線ネットワークの一方によって結合されている、請求項１記載のシステム。
【請求項６】
前記モジュール（１２，１６）の各々は、前記基部装置（２０）にデータを伝送する前に、前記センサ（１４，１８）から受け取ったデータを処理するために、アナログ−ディジタル変換器を含んでいる、請求項１記載のシステム。
【請求項７】
前記処理装置に結合された表示装置（６０）であって、関心のある被検体からの実時間波形データ、関心のある被検体の保存された波形データ、及び関心のある被検体の生の又はセーブした生理学的画像を同時に表示するように構成されている表示装置（６０）を含んでいる請求項１記載のシステム。
【請求項８】
処理装置を使用して関心のある被検体の電気生理学的データ及び血行動態生理学的データを監視するためのツールであって、
関心のある被検体から電気生理学的データ・セット（５，７）を受け取る手段と、
関心のある被検体から血行動態生理学的データ・セット（５，７）を受け取る手段と、  前記の２つのデータ・セット（５，７）を同期化する手段と、
処理装置内で前記同期化されたデータ・セットを組み合わせて単一のデータベースを生成する手段であって、前記単一のデータベースが更に使用するために利用可能である当該手段と、
を有しているツール。
【請求項９】
前記処理装置内にフィルタ（３４）を設ける手段と、前記フィルタ（３４）に前記同期化されたデータ・セット（５，７）を適用する手段とを含んでいる請求項８記載のツール。
【請求項１０】
前記処理装置に結合された表示装置（６０）であって、関心のある被検体からの実時間波形データ、関心のある被検体の保存された波形データ、及び関心のある被検体の生の又はセーブした生理学的画像を同時に表示するように構成されている表示装置（６０）を含んでいる請求項８記載のツール。
【発明の詳細な説明】
【技術分野】
【０００１】
本発明は、医学的データ収集に関するものであり、より具体的には、臨床侵襲的処置の際に電気生理学的データ及び血行動態生理学的データを監視するための簡単な収集診断用監視システムに関するものである。
【背景技術】
【０００２】
心臓又は放射線介入（インターベンション）処置の際には、患者の生理学的データを連続的に監視することが必要である。患者の監視には複数のパラメータの測定及び分析を必要とする。これらのパラメータの幾分かは侵襲性圧力測定と侵襲性電圧及び時間測定とである。今日利用可能である全ての生理学的診断用監視システムは両方のこれらのパラメータを同時に供給していない。ユーザは、複数のチャンネルで記録及び表示している複数の波形について両方のこれらの測定を行うことができるようにするために、１つのアプリケーションを出て別のアプリケーションに入るか又は１つのモードから別のモードへ移らなければならない。この変更は余分な時間遅延を生じさせて、処置を長引かせる。
【０００３】
殆どのシステムでは、収集されたデータは、生のデータの分析及び診断のために単一の場所で一緒に視覚化することができない。これはワークフローを更に妨げて、患者について必要な看護を行うための時間を増大させる。或る特定の場合では、処置のワークフローは患者についての血行動態の分析を行い、次いで同じ患者について電気生理学的（ＥＰ）処置を行うことである。最初の血行動態（ＨＥＭＯ）検査は、不整脈の虚血性原因や、存在するはずのない心臓の室間に生じた孔や、心臓弁の拘縮又は漏洩を探すこと、或いは他のこのような処置を行うことであり、何ら虚血性の又は構造的な原因が識別されなかったときは、患者は直ちにＥＰ処置を受ける。今日、これは、ユーザがその事例を完了するために一種類のアプリケーションから別のアプリケーションへ切り替えるとき、より長い時間が掛かる。この問題の時間の増大により患者にとって合併症の危険性が生じる。更に、アプリケーションが切り替えられている間、患者は訓練を受けた職員又は別の監視装置を持つ職員によって監視される。もしこのアプリケーション変更の際に患者に（不整脈のような）何らかの関連した変化が起こった場合、臨床医はその事象についての電子的コピーを持たないので、処置の残りの期間中に見付けられる不整脈に対して比較を行えない。
【０００４】
部屋内の設備の複数の部品は部屋の周囲電気ノイズ・レベルを増大させる。心臓電気生理学的設備は小さい電気信号（５０ｈｚ未満）を収集して、臨床医が評価できるように増幅する。漏洩のない適切に接地された設備は妨害を加えないが、設備の部品が多くなればなるほど、背景ノイズの発生源を突き止めることが一層困難になる。更に、臨床医が同じコンピュータを使用して一種類の処置から別の種類の処置へ変更したとき、アクセスしているハードウエアが変化したことがユーザにとって常に明らかであるとは限らない。
【０００５】
電気生理学研究室で現在利用可能なシステムでは、患者を輸送モニタから離して、それをＥＰ増幅器を介して監視することが必要とされている。もしこの移行中に不整脈が生じた場合、不整脈を評定するために臨床医が利用できる資料が制限されることになる。処置が血行動態又は電気生理学的処置から他の種類の処置へ変更されたとき、設備を再較正し且つ零点再調節を行わなければならない。再較正を行っている間、システムの他の機能が利用できなくなり、ユーザは処置を続行することが妨げられ、治療が遅らされる。接続の物理的変更は何ら必要とされないので、臨床医がデータ損失の源を突き止めて、較正プロセスを行っている間、重要な時間が失われることがある。
【特許文献１】米国特許第５５６６０９６号
【発明の開示】
【発明が解決しようとする課題】
【０００６】
従って、臨床的侵襲性処置の際に電気生理学的及び血行動態生理学的診断用監視の両方ための単一収集システムが必要である。また、処理装置を使用して、単一データベース内の関心のある被検体の電気生理学的データ及び血行動態生理学的データを監視するためのツールも必要である。
【課題を解決するための手段】
【０００７】
本発明の一実施形態は、関心のある被検体からの電気生理学的データ及び血行動態生理学的データを監視するための単一収集診断用監視システムに関する。本システムは、関心のある被検体に結合された複数の第１のセンサを介して電気生理学的データを受け取るように構成されている第１のモジュールを含む。本システムはまた、前記被検体に結合された複数の第２のセンサを介して血行動態生理学的データを受け取るように構成されている第２のモジュールを含む。本システムはまた、各モジュールに結合されていて、各モジュールに電力を供給し、各モジュールからデータを受け取り、且つ各モジュールからのデータを一緒に同期化するように構成されている基部装置を含む。本システムはまた、前記基部装置に結合されていて、前記基部装置から同期化された電気生理学的及び血行動態生理学的データを受け取り、該同期化されたデータを単一のデータベースに組み合わせ、且つ更に使用するために前記同期化され処理されたデータを伝送するように構成されている処理装置を含む。
【０００８】
本発明の別の実施形態は、関心のある被検体についての電気生理学的及び血行動態生理学的データを監視する方法に関し、本方法は、電気生理学的データを受け取るように構成されている第１のモジュールと、血行動態生理学的データを受け取るように構成されている第２のモジュールとを使用し、これらの各々のモジュールは基部装置及び処理装置に結合されている。本方法は、電気生理学的データを受け取る段階と、血行動態生理学的データを受け取る段階と、２つのデータ・セットを同期化する段階と、これらの同期化されたデータ・セットを組み合わせて単一のデータベースを生成する段階とを含み、この単一のデータベースは更なる使用のために利用可能である。
【０００９】
本発明の別の実施形態は、処理装置を使用して、関心のある被検体についての電気生理学的及び血行動態生理学的データを監視するためのツールに関する。本ツールは、関心のある被検体から電気生理学的データ・セットを受け取る手段を含む。本ツールはまた、関心のある被検体から血行動態生理学的データ・セットを受け取る手段を含む。本ツールはまた、２つのデータ・セットを同期化する手段、及び処理装置内で同期化されたデータ・セットを組み合わせて単一のデータベースを生成する手段を含み、ここで、単一のデータベースは更なる使用のために利用可能である。
【発明を実施するための最良の形態】
【００１０】
図面を参照して説明すると、図１は単一ディジタル収集システム１０の模範的な実施形態を例示し、システム１０は、一組の患者接続部を使用して、関心のある被検体から血行動態（血圧及び生体）データ・セット７及び電気生理学的（電気）データ・セット５の両方を同時に速やかに収集し、フィルタリングし、コンピュータ３０にディジタル式に伝送する。コンピュータ３０は、これを表示、分析、保存及び更なる使用のために処理するソフトウエア・ツール７０を有する。
【００１１】
システム１０は、同じ設定で血行動態の場合から電気生理学的アブレーション（焼灼）処置へ滑らかの移行を可能にする。
【００１２】
模範的な一実施形態では、関心のある被検体は人間である。他の模範的な実施形態では、関心のある被検体は、犬、猫、馬又は霊長類のような別の解剖学的構造である。別の模範的な実施形態では、システム１０は、例えば、病院又は病室のような患者治療看護施設内に含まれ、また更に別の実施形態では、施設は関心のある被検体について、例えば、イメージング、侵襲性処置、又は診断用処置などのような、医学的処置を遂行するのに適した任意の施設であってよい。
【００１３】
関心のある被検体からの電気生理学的データ５及び血行動態生理学的データ７を監視するための単一収集診断用監視システム１０は、関心のある被検体に結合された複数の第１のセンサ１４を介して電気生理学的データ５を受け取るように構成されている第１のモジュール１２を含む。第２のモジュール１６が、関心のある被検体に結合された複数の第２のセンサ１８を介して血行動態生理学的データを受け取るように構成されている。モジュール１２，１６の各々に結合された基部装置２０がデータ・セット５，７を受け取り、基部装置２０は、各モジュールに電力を供給すると共に、各モジュールからのデータ５，７を一緒に同期化するように構成されている。基部装置２０に結合された処理装置３０が、基部装置２０から同期化された電気生理学的及び血行動態生理学的データを受け取り、これらの同期化されたデータを単一のデータベースに組み合わせ、また同期化され処理されたデータを更に使用するために伝送するように構成されている。
【００１４】
第１のモジュール１２は、関心のある被検体から、ＥＣＧ信号、侵襲性血圧、非侵襲性血圧、温度監視、エンド・タイトル二酸化炭素、熱希釈心拍出量（ＴＤＣＯ）のようなデータを得る。このモジュールは、ユーザによって決定されたとき、１６０００サンプリング速度でサンプリングすることができ、またデータは処理装置３０によって選択された流れ（例えば、血行動態対電気生理学的処置）に依存して５００ｋ又は２４０ｋにダウン・サンプリングすることができる。データは、該モジュールにおいて、ＥＣＧ信号を分析して、ぺーシング・スパイク(pacing spike)を探し、ぺーシング・スパイクが検出されたときにそれらのスパイクを心拍として計数しないようにするために、使用される。データは複数のセンサを介して収集され、これらのセンサは所望のデータを得るように構成される。
【００１５】
第２のモジュール１６は、カテーテルのような複数の第２のセンサ１８を介して予め選択されたサンプリング速度で心臓内信号を得る。典型的には、該モジュールで又は基部装置２０で心臓内信号について何らフィルタリング又は増幅は行われない。
【００１６】
基部装置２０内の他のモジュールに追加のモジュールを結合することができる。
【００１７】
基部装置２０は各々のモジュールに結合されて、それらのモジュールに電力を供給する。電力は各々のモジュールに直接供給することができ、或いは主モジュールに結合された複数の従属モジュールを持つ１つのモジュールに供給することができる。
【００１８】
各モジュール１２，８及び基部装置２０、並びに処理装置３０は、クロック４０を含む。標準的な通信プロトコルを使用して、モジュール、基部装置及びＣＰＵのクロック４０を同期化する。モジュール１２，１８で受け取ったデータには、各モジュールによってタイム・スタンプが記録される。各モジュール１２，１４は、アナログ／ディジタル回路２４においてアナログ−ディジタル変換を行い、変換後のデータを基部装置２０へ伝送する。基部装置２０は、データを受け取ったとき、タイム・スタンプを利用してデータを同期化して、データを標準的なＴＰＣＰ／ＩＰパケットに変換する。これらのパケットは次いでイーサーネット・パケットとして処理装置３０及び（基部装置２０に結合された）アナログ出力回路２２へ転送される。無線回路網、例えば、ブルートゥース・システムを使用することもできる。
【００１９】
処理装置３０はラップトップ・コンピュータ、デスクトップ・コンピュータ又はサーバー型コンピュータのような任意の種類の中央処理装置（ＣＰＵ）であってよいが、処理装置３０は基部装置２０から同期化された電気生理学的データ５及び血行動態生理学的データ７を受け取る。処理装置はこれらの同期化されたデータを組み合わせて、更なる処理のための単一のデータベースを生成する。
【００２０】
アナログ出力回路２２はデータに複数のフィルタ３４を適用する。複数のフィルタ３４は高域通過フィルタ、低域通過フィルタ、又は高域通過及び低域通過フィルタの組合せとすることができ、複数のフィルタ３４は処理装置３０上に保存され且つ作成された一群から選択される。システム１０のユーザは処理装置３０上のそれらのフィルタを選択することができ、またアナログ出力回路２２に伝送される。アナログ出力回路２２は処理装置３０から受け取った所定のフィルタ３２を処理データに適用する。ここで、複数のフィルタ３４は処理装置３０上で周知のプログラミング手法によって時々変更することができることに留意されたい。
【００２１】
処理装置３０はまた入力装置６４を含み、入力装置６４は、例えば、キーパッド、キーボード、ジョイスティック、ローラーボール、タッチペン、又は音声認識システムとすることができる。また、処理装置３０には表示装置６０も結合される。表示装置６０は、関心のある被検体からの実時間波形データ、関心のある被検体についての保存された波形データ、及び関心のある被検体の生の又はセーブした生理学的画像を同時に表示するように構成されている３つの別々のモニタを含むことができる。
【００２２】
収集されたデータと分析されたデータと注釈付きデータとは、処理装置３０に結合された記憶装置６２に保存することができ、記憶装置６２は、例えば、ハード・ドライブ、別のコンピュータ、テープ又はディスク記憶媒体とすることができる。
【００２３】
本発明ではまた、関心のある被検体についての電気生理学的及び血行動態生理学的データ５，７を監視する方法を提供し、本方法では、電気生理学的データ５を受け取るように構成されている第１のモジュール１２と、血行動態生理学的データ７を受け取るように構成されている第２のモジュール１６とを使用し、これらの各々のモジュール１２，１６は基部装置２０及び処理装置３０に結合されている。本方法は、電気生理学的データを受け取る段階と、血行動態生理学的データ７を受け取る段階と、２つのデータ・セットを同期化する段階とを含む。更に、これらの同期化されたデータ・セットを組み合わせて単一のデータベースを生成する段階を含み、この単一のデータベースは更なる使用のために利用可能である。
【００２４】
本方法はまた、処理装置３０内にフィルタ３２を設ける段階、及び同期化されたデータ・セットをフィルタ３２に適用する段階も含む。フィルタ３２は、低域通過フィルタと、高域通過フィルタと、低域及び高域通過フィルタの組合せとからなる群３４から選択される。フィルタはユーザによって決定された通りに処理装置３０にプログラムすることができるか、又は処理装置３０上に保存されたテーブルから選択することができる。
【００２５】
電気生理学的及び血行動態生理学的データ５，７を監視するためのシステム１０では、モジュール１２及び１６の各々、基部装置２０並びに処理装置３０はクロック４０を含む。本方法は、各々のモジュール１２，１６、基部装置２０及び処理装置３０の中のクロック４０を同期化する段階を含む。データの同期化は、モジュールから基部装置へ及び処理装置３０へのデータに日付スタンプを押す手段を提供する。
【００２６】
同期化されたデータ・セットはコンピュータによって第３者の装置へ、或いは表示装置６０又は記憶装置６２へ伝送される。また、データはストリップ・チャートのようなアナログ出力装置２２で供給することも可能である。
【００２７】
システム１０は、処理装置３０を使用して、関心のある被検体についての電気生理学的及び血行動態生理学的データ５，７を監視するためのツール７０を含む。ツール７０は関心のある被検体から電気生理学的データ・セットを受け取る手段を含む。本ツールはまた、関心のある被検体から血行動態生理学的データ・セットを受け取る手段、及び２つのデータ・セット５，７を同期化する手段も含む。ツール７０はまた、処理装置内に同期化されたデータ・セットを組み合わせて単一のデータベースを生成する手段を含み、ここで、単一のデータベースは更に使用するために可変である。
【００２８】
処理装置３０内で、ＥＰ及びＨＥＭＯデータ・セットの単一のアプリケーションで幾つかの機能が並列に遂行される。図２に示されているように、ユーザによって選択された通りにデータのフィルタリングが遂行される。選択されたデータの表示が、処理装置３０に結合されているビデオ・モニタ６０に送られる。類似のアルゴリズムがユーザによって選択された通りにＨＥＭＯ又はＥＰデータ・セットに適用されて、表示モニタ６０又は記憶装置６２へ送られる。記憶装置は処理装置３０に結合されている。記憶装置は、生のデータ及び分析後のデータ及び模倣データを単一のデータベース内に含む。表示装置６０は、関心のある被検体からの実時間波形データと、関心のある被検体についての保存されている波形データと、関心のある被検体についての生の又はセーブした生理学的画像とを同時に表示するように構成することができる。表示装置６０は単一のスクリーン、例えば、大形のプラズマ又は液晶表示装置、或いは複数のスクリーンとすることができる。いずれの場合でも、表示装置６０は、ユーザにとって適当な画像及びテキストを提供するために高速のリフレッシュ速度を有していなければならない。
【００２９】
模範的な一実施形態では、システム１０はユーザに対して単一のユーザ・インターフェース上で複数のパラメータを同時に一斉に収集し表示し分析する。システム１０は、複数侵襲性血圧測定のような血行動態（ＨＥＭＯ）測定及び分析機能、並びに非侵襲性血圧、酸素飽和度、心拍数などのような生体データ収集を行うと共に、電圧データ測定のような電気生理学的（ＥＰ）測定及び分析、並びに無線周波アブレーション・パラメータのような治療データ収集を行う。更に、システム１０は、他の結合された装置からの画像、例えば、Ｘ線、超音波、永久的保管画像及び３Ｄ心臓マッピング・システムからの画像を受け取るように構成されている。このようなシステムからの画像は処理装置３０に結合された同じデータベース内に保存することができる。このような画像がシステム１０を使用している処置中に収集される場合、関心のある被検体からの生理学的信号がこれらの画像に付加されて、これにより、ユーザは選択により選択した画像を見ながら、同じ期間に生じた波形を見ることができる。
【００３０】
収集したデータの波形が単一のスクリーン及びウィンドウに同時に表示され、個別の表示チャンネル上に最大４つの侵襲性圧力測定値及び１２８個の心臓内電気生理学的波形が表示される。表示は１２リード体表面心電図（ＥＣＧ）データ、非侵襲性血圧、及び患者の生体状態を決定するためのパルス酸素濃度計のような他の血行動態波形を含む。単一のアプリケーションにより、その事例の始めからその事例の終わりまで各収集点にタイム・スタンプを付して上記の表示データを同時に保存することができる。このセーブしたデータは別個のウィンドウ内の第２のスクリーン上に同時に表示される。システムは、セーブした又は保存したデータセットを表示する別個のウィンドウ又はスクリーン上のデータ・セットを同時に測定し分析することができる。これらの測定値は、基本的な血圧測定値、心臓弁（弁口面積）を横切る血流測定値、１つの室から別の室へ孔を通る血流（分流計算値）、熱希釈心拍出量、心臓内及び体表面心電図（ＥＣＧ）電圧測定値、並びに電圧、電力、温度及びインピーダンスのような無線周波アブレーション・パラメータを含むことができる。これらの波形の収集は、ユーザによって定められた通りに２５０Ｈｚから１０ＫＨｚまでの複数の周波数で行われて、生のモード又はセーブしたモードで１つのスクリーン上に同期して表示される。ユーザは、幾つかの種類の入力装置６４を使用することによって増幅、注釈、並列比較、マップなどのようなシステムで利用可能な制御を用いて信号を測定し操作することができる。システムは、圧力及び電気的データ・セット、並びに圧力曲線の傾斜（ｄｐ／ｄｔ）などのようなより複雑なパラメータを自動的に計算する周知のソフトウエア・アルゴリズムを有する。ユーザは、メモ、測定値、薬剤などが処置を通じて記録される単一のウィンドウ（ログ(log) ）を持つ。この能力は、患者の健康のための臨床上の意志決定プロセスにおいてユーザを支援する。これらの（ハード・ドライブ、ＤＶＤのような取り出し可能な媒体上に、又はサーバーに）保存された信号は、電子ファイル上に電子的に印刷し、或いはプリンタを使用してハード・コピーとして物理的に印刷することができる。
【００３１】
同時に収集された圧力及び電気波形についての血行動態及び電気生理学的分析ツールの両方に同時にアクセスできることによって、ユーザは侵襲性心臓カテーテル挿入及び侵襲性電気生理学的処置のような複数の臨床的処置の間を切れ目なく移行させるか又は統合して、処置を完了する時間を短縮し、また前に述べたアブレーション処置と組み合わせた心臓内の孔の修復のような現在厄介であるか又は困難なワークフローを容易にすることができる。ユーザはまた、完了した事例をより良く文書化し、また両方の種類の処置を含む事例の終わりに患者の状態について単一の合同な記録を持つことができる。
【００３２】
システム１０は、センサ１４，１８を使用して、例えば、胸部及び胴体上に配置された表面パッチ、並びに様々なアクセス点（大腿静脈、大腿動脈（ＨＥＭＯ用）、頸静脈など）を介して挿入された身体内カテーテル（血行動態のための中空管及び電気生理学的処置のための閉じたルーメン）を使用して、関心のある被検体から直接にデータ収集する。これらのカテーテルには、圧力及び電圧を記録して、それらを波形に変換するためにセンサ・アレイが取り付けられており、波形はシステム１０の表示装置６０に表示されて、ユーザが視覚できるようにする。ユーザはシステム１０を使用することにより、記録されたデータ・セットを分析して、患者の健康状態を確かめ且つ臨床的判断を行う。最後に、システムは処置についての包括的な報告書を作成し、この報告書は印刷し、ディジタル的に記憶し、また永久的保管のために病院情報システムへ送ることができる。
【００３３】
処置中に得られるデータには、圧力の波形、圧力測定値のような事項の計算、弁ついての計算、分流の計算、Ｘ線画像のスナップ写真、超音波画像のスナップ写真又は超音波画像のループ（動画）、Ａ−Ｈ及びＨ−Ｖ（信号が心房内の洞結節から心室へ伝わるのに掛かる時間）のような電気生理学的測定値を含むことができ、このデータは、最初はバッファ内のハード・ドライブに記憶し、ＣＰＵ処理電力が利用可能になったとき、データを取出し可能な媒体（例えば、ＤＶＤ）に記憶させ、またオプションとして、サーバーに書き込むことができる。
【００３４】
本明細書での説明のために、用語「結合」とは、２つの（電気的又は機械的）構成部品が互いに直接に又は間接的につなぎ合わされることを意味する。このようなつなぎ合わせは、事実上不動であっても、事実上可動であってもよい。このようなつなぎ合わせは２つの（電気的又は機械的）構成部品と任意の付加的な中間部材とにより達成することができ、この場合、それらの任意の付加的な中間部材は、互いと、又は２つの構成部品と、又は互いに取り付けられている２つの構成部品及び任意の１つの付加的な部材と単一の一体物として一体に構成される。このようなつなぎ合わせは、事実上永久的なものであってよく、またその代わりに、事実上取外し可能又は解放可能であってもよい。
【００３５】
本発明の開示を実施例について説明したが、当業者には、本発明の精神及び範囲から逸脱せずに形態及び細部を変更し得ることが認められよう。例えば、１つ以上の利点を与える１つ以上の特徴を含むものとして異なる実施例を説明したかもしれないが、記載した特徴を互いに交換し、或いは記載した実施例において又は代替の他の実施形態において互いに組み合わせることができると考えられる。本発明開示の技術は比較的複雑であるので、該技術の全ての変更を予測することはできない。実施例について詳述した本発明の開示はできる限り広くすることを目的とする。例えば、特別な注記がなければ、一つの特定の素子は複数のこのような特定の素子を含むように変えることもできる。
【００３６】
また大切なこととして、好ましい及び他の模範的な実施形態で示された素子の構成及び配置が単に例として示したものに過ぎないことに留意されたい。本書では幾つかの実施形態のみを詳しく説明したが、当業者には、本書を検討すれば、開示内容の新規な教示及び利点から実質的に逸脱することなく多数の修正（例えば、様々な素子の大きさ、寸法、構造、形状及び割合、パラメータの値、取り付け装置、材料の使用法、カラー、配置方向などを変えること）が可能であることが理解されよう。例えば、一体に形成されているものとして示した素子を複数の部品で構成することができ、又は複数の部品として示した素子を一体に形成することができ、またアセンブリの動作を逆にし、さもなければ変えることができ、またシステムの構造及び／又は部材又はコネクタ又は他の素子の長さ又は幅を変えることができ、また素子間に設けられた調節位置又は取付け位置の性質又は数を変えることができる。ここで、システムの素子及び／又はアセンブリは充分な強度又は耐久性を与える広範な材料の任意のもので構成することができることに留意されたい。従って、全てのこのような修正は本発明開示の範囲内に含まれるものである。好ましい及び他の模範的な実施形態の設計、動作条件及び配置構成について、本発明開示内容の精神から逸脱することなく、その他の置換、修正、変更及び省略を行うことができる。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００３７】
【図１】関心のある被検体からの電気生理学的データ及び血行動態生理学的データを監視し処理するための単一収集診断用監視システムの模範的な一実施形態の概略図である。
【図２】関心のある被検体からの電気生理学的データ及び血行動態生理学的データを監視し処理するためのツールの模範的な一実施形態の概略図である。
【符号の説明】
【００３８】
５  電気生理学的データ・セット
７  血行動態データ・セット
１０  単一ディジタル収集システム
１２  第１のモジュール
１４  第１のセンサ
１６  第２のモジュール
１８  第２のセンサ
２０  基部装置
２２  アナログ出力回路
２４  アナログ／ディジタル回路
３０  処理装置
３２  所定のフィルタ
３４  フィルタ
４０  クロック
６０  表示装置
６２  記憶装置
６４  入力装置
７０  ソフトウエア・ツール
【図１】
2007307365.tif 000003
【図２】
2007307365.tif 000004